(57)【特許請求の範囲】
【請求項１】
胴部と、前記胴部の天面を覆う頂部と、を備えて内部に複数の物品を収容し、当該収容状態において略直方体形状を呈する包装袋であって、
前記頂部は、前記天面と平行に配されて前記物品を覆う天面部およびその周縁から立ち上がる立ち上がり部を含み、
前記天面部には、破断に応じ開口を形成することで前記包装袋を開封する開封線が設けられ、
前記立ち上がり部には、互いに係合可能な一対の係合部を有し、前記包装袋の内部を開放／閉塞することが可能な開閉部が設けられ、
前記開閉部は、前記立ち上がり部が囲む前記天面部の上の空間に面するように内周に沿ってその全体に配置され、前記係合部同士を係合させることで、前記立ち上がり部が前記開口を覆うことを特徴とする包装袋。
【請求項２】
胴部と、前記胴部の天面を覆う頂部と、を備えて内部に複数の物品を収容し、当該収容状態において略直方体形状を呈する包装袋であって、
前記頂部は、前記天面と平行に配されて前記天面を覆う天面部を含み、
前記天面部には、破断に応じ開口を形成することで前記包装袋を開封する開封線と、互いに係合可能な一対の係合部とを有し、前記包装袋の内部を開放／閉塞することが可能な開閉部と、が平行に設けられ、
前記天面部は、前記一対の係合部を互いに引き寄せて咬合させる動作を許容する弛みを有し、前記係合部同士を係合させることで、前記天面部が前記開口を覆うことを特徴とする包装袋。
【請求項３】
胴部と、前記胴部の天面を覆う頂部と、を備えて内部に複数の物品を収容し、当該収容状態において略直方体形状を呈する包装袋であって、
前記頂部は、前記天面を覆う、２つの傾斜面を有する屋根型形状を呈し、
一方の傾斜面には、破断に応じ開口を形成することで前記包装袋を開封する開封線と、互いに係合可能な一対の係合部を有し、前記包装袋の内部を開放／閉塞することが可能な開閉部と、が平行に設けられ、
前記一方の傾斜面は、前記一対の係合部を互いに引き寄せて咬合させる動作を許容する弛みを有し、前記係合部同士を係合させることで、前記一方の傾斜面が前記開口を覆うことを特徴とする包装袋。
【請求項４】
前記物品が衛生用品であることを特徴とする請求項１から請求項３のいずれか一項に記載の包装袋。
【請求項５】
請求項１から請求項４のいずれか一項に記載の包装袋に物品を収容してなることを特徴とする包装体。
【発明の詳細な説明】
【技術分野】
【０００１】
本発明は、包装袋および包装体に関し、特に複数の物品を収容するのに好適な包装袋および該包装袋により物品を収容した包装体に関するものである。
【背景技術】
【０００２】
物品、例えば使い捨ておむつ、軽失禁パッド、生理用品等の衛生用品は、一般に、包装袋に複数を収容した包装体の状態で販売され、購入者は包装袋を開封することで衛生用品を取り出すことが可能となる。このような包装体は、未使用の衛生用品を収容した状態で保管されるので、一旦開封された包装袋は、塵埃や虫などの異物が内部に侵入しない、清潔な状態で保管されることが強く望ましい。
【０００３】
一方、衛生用品を収容するための従来の包装袋として、開封後に内部を閉塞し、また必要に応じて開放するための開閉部が設けられたものがある。例えば、特許文献１には、溶着されたガセット袋の形態とした包装袋において、上縁の付近に最上縁を切り取って開封するためのミシン目が形成されるとともに、ミシン目よりも下側の部位にプラスチックチャックが設けられた構成が開示されている。また、特許文献２には、頂部の側面に開封用の脆弱線が形成されるとともに、脆弱線より下側の部位において対向する袋内表面に線ファスナが設けられた構成が開示されている。すなわち、これらの特許文献は、破断に応じて開口を形成するミシン目または脆弱線（以下、破断部と称する）よりも低い位置に開閉部が設けられている構成を開示するものである。
【先行技術文献】
【特許文献】
【０００４】
【特許文献１】特開２００２−２７３１号公報
【特許文献２】特開２０１２−２３１９７５号公報
【発明の概要】
【発明が解決しようとする課題】
【０００５】
しかし、特許文献１は、携帯用に１日分または数日分といった比較的少数の衛生用品を収容するための包装袋を、また特許文献２は、衛生用品を個別包装し、使用済みの衛生用品を再度収容するための包装袋を開示するものであって、未使用の衛生用品が多数収納されたまま保管される構成には必ずしも適したものではない。すなわち、必要枚数の衛生用品を取り出した後、開閉部で包装袋の内部を閉塞しても、破断部の破断によって生じた開口は露出しているので、その開口から開閉部までの部位に異物が侵入して溜まることがある。これに気づかずに次の使用に際して開閉部を開放すると、異物がそのまま包装袋の内部に落下してしまう恐れがあるからである。
【０００６】
よって本発明は、開封後、未使用の衛生用品などの物品を収容している包装袋の内部を、異物の侵入から保護する構造を提供することを目的とする。
【課題を解決するための手段】
【０００７】
そのために、本発明は、胴部と、胴部の天面を覆う頂部と、を備えて内部に物品を収容する包装袋であって、頂部には、破断に応じ開口を形成することで包装袋を開封する開封線と、互いに係合可能な一対の係合部を有し、包装袋の内部を開閉することが可能な開閉部と、が設けられ、一対の係合部は開封線を挟んで配置され、係合部同士を係合させた状態において、開閉部が開口を覆うことを特徴とする。
【０００８】
また、本発明は、そのような包装袋に物品を収容してなる包装体に存する。
【発明の効果】
【０００９】
本発明によれば、開閉部を閉じることで開口の露出が防止されるため、包装体の内部を異物の侵入から保護して、衛生用品などの物品を清潔な状態に保つことができる。
【図面の簡単な説明】
【００１０】
【図１】本発明の第１の実施形態に係る包装袋を示す斜視図である。
【図２】チャック部の機能および作用を説明するための図であり、（ａ）は図１のＩＩａ方向から見た頂部付近の側断面図、（ｂ）はチャック部を閉じた状態の頂部付近の側断面図、（ｃ）はチャック部を閉じた状態の包装袋を模式的に示す斜視図である。
【図３】（ａ）は図１のＩＩＩａ方向から見た包装袋の側断面図、（ｂ）は包装袋の上面図である。
【図４】（ａ）および（ｂ）は、それぞれ、本発明の第２の実施形態の主要部を示す斜視図およびチャック部を閉じる操作の説明図である。
【図５】本発明の第３の実施形態を示す斜視図である。
【発明を実施するための形態】
【００１１】
本明細書および特許請求の範囲の記載において、「天面」および「底面」とは、包装袋によって画成された衛生用品の収容空間の面自体を指すものとして参照される。これに対し、「底面部」および「天面部」とは、包装袋の実体的な部分を指すものとして参照される。但し、これらの用語はあくまで便宜上のものであり、重力方向における絶対的な位置を規定するものではないことは勿論である。また、「上」、「下」などの用語が現れる場合についても同様である。
【００１２】
さらに、本明細書および特許請求の範囲の記載における「閉塞」という用語は、包装体の内部を雰囲気から完全に遮断すること（すなわち封止すること）だけでなく、包装体の内部を異物の侵入から効果的に保護できる程度に実質的に包装袋を閉じることも包含するものである。
【００１３】
＜第１の実施形態＞  
図１は、本発明の第１の実施形態に係る包装袋１ないしは包装体１００を示す斜視図である。包装袋１は、概して、底面部および側面部を有し、物品である衛生用品が多数集積される胴部３と、天面を覆っている実体的な部分である天面部５およびその周縁から立ち上がる立ち上がり部６を含む頂部４と、を備える。なお、これらの部分は別体に製造された後に一体化されたものではなく、１枚のシート状部材の折り曲げ等によって予め一体に形成することが可能なものであって、少なくとも外観上、胴部３と頂部４との間に明確な境界が現れるものではない。本実施形態の包装体１００は、図１に示すように、衛生用品２を複数収容した状態で略直方体形状を有する。つまり、胴部３の底面部と頂部４の天面部５とは平行に対向する略長方形をなす。
【００１４】
頂部４の天面部５の中央付近には、上記略長方形の長辺と平行に延在するミシン目形状の開封線７が設けられ、これを破断することで、包装袋１の開口が形成される。本実施形態では、天面部５と、収容する衛生用品とに間隙を設けることによって、頂部の天面部に設けられた開封線７の両側を互いに離れる方向に引っ張って破断させる操作を容易にする掴み代が形成されるようにしている。開封線７が破断されることによってスリット状の開口が形成されると、ユーザはこの開口を介して必要枚数の衛生用品を取り出すことができる。
【００１５】
一方、頂部４の立ち上がり部６には、包装袋１の内部を開放／閉塞することが可能な開閉部として、プラスチック製の咬合具の形態のチャック部８が配設されている。チャック部８は、立ち上がり部６が囲む天面部５上の空間に面するよう内周に沿って配置されており、互いに係合可能な一対の係合部として、相互に咬合可能な雄型および雌型のエレメント８ａおよび８ｂを有する。このチャック部８は、開封線７が破断されて包装袋１が開封された後に使用され、エレメント８ａおよび８ｂを咬合／咬合解除させることで包装袋１を開閉可能とするものである。
【００１６】
図２はチャック部８の機能および作用を説明するための図であり、（ａ）は図１のＩＩａ方向から見た頂部４の付近の側断面図、（ｂ）はチャック部を閉じた状態の頂部４の付近の側断面図、（ｃ）はチャック部８を閉じた状態の包装袋１を模式的に示す斜視図である。必要枚数の衛生用品を取り出した後、立ち上がり部６の対向側面部分６ａ，６ｂを図２（ａ）の矢印で示すように互いに近接させ、図２（ｂ）に示すようにエレメント８ａ，８ｂを互いに咬合させることで、図２（ｃ）に示すような状態となる。本実施形態では、開封線７が破断されることによって形成されたスリット状の開口７’よりも、咬合したエレメント８ａ，８ｂが上方に位置している。従って、図２（ｂ）および（ｃ）に示すように開口７’は立ち上がり部６によって覆われ、外部に露出しないため、開口７'を介した異物の侵入が効果的に防止されることになる。また仮に、閉じたチャック部８の上方にある立ち上がり部６の対向側面部分６ａ，６ｂ間に異物が存在しても、チャック部８の開放時にその異物は天面部５上に落下するため、直ちに胴部３内には侵入しない。この際、開口７'がスリット状であれば、胴部３内への侵入がより効果的に防止される。本実施形態によれば、包装袋の内部を異物の侵入から保護して、未使用の衛生用品を清潔な状態に保つことが可能となる。
【００１７】
これに対し、特許文献１および２に開示されたような構成を採用した場合、チャック部を閉じた状態において包装袋の上部に溜まった異物が、チャック部を開けた際に、そのまま包装袋内部に落下する恐れがあるのである。また、本実施形態は、特許文献１のように包装袋の上端を切り取って開放する構成でないため、切り取り片が放置されることで乳幼児がこれを口に入れたり誤嚥下したりする恐れを防止することができる。
【００１８】
次に、本実施形態におけるチャック部８の好ましい配設位置について説明する。  
図３（ａ）は図１のＩＩＩａ方向から見た包装袋１の側断面図、図３（ｂ）は包装袋１の上面図である。本実施形態においては、図３（ａ）に示すように、包装袋１には収容した衛生用品２と天面部５とに間隙Ｌ２が設けられる。つまり、このように間隙Ｌ２が設けられることによって、包装袋１の天面部５に掴み代を形成することが可能となる。掴み代が形成されるための間隙Ｌ２は適切に設定することができ、例えば、上記略長方形の短辺Ｌ１（図３（ｂ））の２分の１以上とすることができる。この場合、収容した衛生用品２とチャック部８との間隔（高さ）Ｌ３は、略長方形の長辺に相当する立ち上がり部６の対向側面部分６ａ，６ｂを短辺方向に引き寄せてチャック部８を閉じる（エレメント８ａおよび８ｂの咬合を行わせる）という条件に基づけば、Ｌ３＞Ｌ２≧（１／２）Ｌ１であるべきである。さらに、開閉操作を行い易くするためには、チャック部８は立ち上がり部６の上縁に近い位置に設けられることが好ましい。
【００１９】
以上の第１の実施形態では、包装袋１の天面部５に掴み代が形成されることを前提として間隙Ｌ２を設定したが、これは必須ではない。つまり衛生用品２は、胴部３の底面部から頂部４の天面部５までの空間全域に集積されるものでもよく、チャック部８を閉じる操作を可能とする上では、Ｌ３＞（１／２）Ｌ１であるように規定されていればよい。また、上面視において包装袋が略正方形状をなすのであれば、Ｌ３を当該正方形の一辺の長さに基づいて規定することができる。
【００２０】
さらに、第１の実施形態では、高さＬ３を、開封前に包装袋１に収容されている衛生用品２の位置から規定したが、開封前には開封線７が封止機能を果たしているために、チャック部８が閉じていることは要件ではない。従って、例えば衛生用品が平積みされた状態で収容される包装袋であれば、開封前の段階では上記高さＬ３が確保されていなくても、最上位の一枚が取り出されたときに高さＬ３が確保されればよい。また、立ち上がり部６に持ち手が取り付けられるのであれば、確保すべき高さＬ３を考慮して持ち手の取り付け位置を定めることができる。
【００２１】
加えて、第１の実施形態では、閉じたチャック部８と開口７’とが平行となるように、チャック部８および開封線７が形成されているものとした。しかし、例えば、開封線７を上記略長方形の短辺と平行な方向に形成する一方、チャック部８を長辺方向に延在するようにしてもよい。
【００２２】
また、チャック部８を構成する一対のエレメント８ａ，８ｂの配設位置についても、立ち上がり部６の内周に限らず、外周に沿ったものでもよい。この場合は、立ち上がり部６の上縁部を折り返すことで咬合操作を行うことができる。
【００２３】
＜その他の実施形態＞  
本発明は、以上説明した第１の実施形態および変形例に限られない。
【００２４】
例えば、収容した衛生用品２と天面部５との間隙Ｌ２を設けることは必須ではないが、しかし間隙Ｌ２を設けることは、チャック部８の配設位置の自由度を増すことにつながる。
【００２５】
図４（ａ）および（ｂ）は、かかる点に着目した、本発明の第２の実施形態の主要部の斜視図および操作の説明図である。本実施形態では、図４（ａ）に示すように、天面部５の開封線７の近傍に、開封線７と平行にチャック部８を配設している。上記間隙Ｌ２を設けて掴み代が形成されるようにすることは、天面部５の弛みを許容することになる。そして、弛みがあれば、図４（ｂ）に示すようにユーザは開口７’の両側を掴んで互いに引き寄せ、エレメント８ａ，８ｂ同士を互いに咬合させることができる。
【００２６】
また、第１および第２の実施形態では、頂部４が、胴部３の底面部と平行に対向する天面部５を有する包装袋に本発明を適用した場合であるが、本発明は他の形状の包装袋にも適用可能である。
【００２７】
図５は本発明の第３の実施形態を示す斜視図であり、胴部３の天面を覆い、傾斜面を有する屋根型形状を呈した頂部４を示す。図５に示すように、一方の傾斜面には開封線７が形成され、その近傍に、開封線７と平行にチャック部８が配設されている。この斜面部の弛みが許容されるのであれば、第２の実施形態と同様に、ユーザは開封線７の破断後に形成される開口７’の両側を掴んで互いに引き寄せ、エレメント８ａ，８ｂ同士を互いに咬合させることができる。
【００２８】
また、開封線としてはミシン目形状のものとしたが、これに代えて、簡単に破断可能な素材で構成された易破断部形態の開封線を包装袋の天面部に設けてもよい。また、開封線を形成せずに、両縁を掴んで開封するような包装袋についても本発明は適用可能である。
【００２９】
さらに、開閉部として雌雄咬合型のチャック部を用いた例について説明したが、その他、面ファスナ形態の開閉部を用いることもできることは勿論である。
【００３０】
さらに、以上の説明では衛生用品を収容するのに好適な包装袋およびその包装袋に物品を収容した包装体を例示した。しかし、本発明はその他の物品を収容するための包装袋ないしは包装体にも適用でき、特に、開封後の保管時に雰囲気から遮断されることが好ましい物品（食品、薬品、医療品など）を収容するのに適したものである。
【符号の説明】
【００３１】
１  包装袋
２  衛生用品
３  胴部
４  頂部
５  天面部
６  立ち上がり部
７  開封線
８  チャック部
【図１】
0006447356.tif 000002
【図２】
0006447356.tif 000003
【図３】
0006447356.tif 000004
【図４】
0006447356.tif 000005
【図５】
0006447356.tif 000006